(57)【要約】【課題】  ダイカストフレームで端子板を配置する寸法が限られていて、端子板を垂直に取り付ける場合であっても、コスト増加を伴う加工を必要としない、スピーカーフレームおよびこれを用いたスピーカーを提供する。【解決手段】  本発明のスピーカーフレームは、エッジ取付部およびダンパ取付部が有する平面に対して非平行な方向にダンパ取付部から延設される突起片として形成される端子板取付部を備え、端子板取付部が、端子板を取り付ける端子板取付面と、端子板取付部の略中央に縦向きに配置されて端子板取付面の形状を略Ｕ字形状とする縦溝と、を備え、縦溝が、端子板取付面に対して略直角方向に突起片を貫通する貫通孔を規定する。【選択図】  図１
2007013736.tif 000002
【特許請求の範囲】
【請求項１】
エッジを取り付ける平面を有するエッジ取付部と、該エッジ取付部の平面と略平行に形成されるダンパを取り付ける平面を有するダンパ取付部と、該エッジ取付部および該ダンパ取付部が有する平面に対して非平行な方向に該ダンパ取付部から延設される突起片として形成される端子板取付部と、を備えるスピーカーフレームであって、
該端子板取付部が、端子板を取り付ける端子板取付面と、
該端子板取付部の略中央に縦向きに配置されて該端子板取付面の形状を略Ｕ字形状とする縦溝と、を備え、
該縦溝が、該端子板取付面に対して略直角方向に該突起片を貫通する貫通孔を規定する、
スピーカーフレーム。
【請求項２】
前記端子板取付部が、前記端子板取付面と、前記縦溝であって該端子板取付面の側に形成された第１縦溝と、前記縦溝であって該端子板取付面の反対面の側に形成された第２縦溝と、を備え、
該第１縦溝および第２縦溝が、該端子板取付面に対して略直角方向に該突起片を貫通する貫通孔を規定する、
請求項１に記載のスピーカーフレーム。
【請求項３】
前記端子板取付部が、前記端子板取付面から突出して前記端子板の回転を規制する端子板回止部を備える、
請求項１または２に記載のスピーカーフレーム。
【請求項４】
前記端子板取付部に形成された前記端子板回止部が、
前記端子板の一端と当接する第１端子板回止部と、該端子板の他端と当接する第２端子板回止部と、を備え、
該第１端子板回止部と該第２端子板回止部とが、前記エッジ取付部および前記ダンパ取付部が有する平面と平行な面に対して投影された場合に重複しないように規定および配置されている、
請求項３に記載のスピーカーフレーム。
【請求項５】
前記端子板取付部に形成された前記端子板回止部が、
前記端子板の一端と当接する第１端子板回止部と、該端子板の他端と当接する第２端子板回止部および第３端子板回止部と、を備え、
該第２端子板回止部と該第３端子板回止部とが、前記縦溝を挟んで配置されている、
請求項３に記載のスピーカーフレーム。
【請求項６】
ダイカスト金型により鋳造されて形成された、請求項１から５のいずれかに記載のスピーカーフレーム。
【請求項７】
前記ダイカスト金型が、固定型と、該固定型に対して前記エッジ取付部および前記ダンパ取付部が有する平面に略直角な方向へ移動する移動型とを備え、
該固定型もしくは該移動型が備える突起部が、前記端子板取付部の縦溝を規定する、請求項６に記載のスピーカーフレーム。
【請求項８】
請求項１から７のいずれかに記載のスピーカーフレームを用いたスピーカー。
【発明の詳細な説明】
【技術分野】
【０００１】
本発明は、入力信号をスピーカーへ供給するための端子板を取り付ける端子板取付部を備えるスピーカーフレーム、および、これを用いたスピーカーに関する。
【背景技術】
【０００２】
図４（ａ）は従来のスピーカーフレーム４１の端子板取付部４０を説明する断面図、図４（ｂ）は端子板取付部４０の拡大斜視図である。アルミ合金等のダイカスト鋳造によるダイカストフレームが採用される場合には、このスピーカーフレーム４１の端子板取付部４０は、ダンパ取付部４３から延設される突起片として形成される。断面図において、寸法Ａは、振動系を形成するエッジを取り付けるエッジ取付部４２と、ダンパを取り付けるダンパ取付部４３とのダンパ取付部の延長平面上での距離を表している。寸法Ａが十分に確保され得る場合には、端子板４７は寸法Ａが規定する空間内に収まるので、端子板取付部４０は、図示するようにダンパ取付部４３が有する平面（つまりダンパが取り付けられる面）に対して略水平方向にダンパ取付部４３から延設される（特許文献１）。なお、スピーカーの端子板４７は、端子板取付部４０に設けられる貫通孔４６に対して、カシメもしくはネジ４８により固定されるが、端子板４７の向きを規定する手段を、端子板取付部４０に設けることが好ましい（特許文献２）。
【０００３】
【特許文献１】特開２００２−１４２２９０号公報  （第１図）
【特許文献２】実公昭４７−２８６７４号公報  （第１図）
【０００４】
図５（ａ）は、従来の他のスピーカーフレーム５１の端子板取付部５０を説明する断面図、図５（ｂ）は端子板取付部５０の拡大斜視図である。ダンパの外径が大きくなるにつれて、寸法Ａ’が十分に確保できない場合には、スピーカーフレーム５１の端子板取付部５０は、エッジ取付部５２およびダンパ取付部５３が有する平面に対して非平行な方向に、具体的には、略直角方向にダンパ取付部５３から延設される突起片として形成される。つまり、略直角方向に設けられる端子板取付部５０に、端子板５７を垂直に取り付けることにより、限られた空間内に端子板５７を配置している。
【０００５】
しかしながら、従来技術の端子板５７を垂直に取り付けるスピーカーフレーム５１を、ダイカスト鋳造で実現する場合には、端子板取付部５０に設けるべき貫通孔５６がダイカスト金型（図示しない）の移動方向と異なるため、２次加工により貫通孔５６を加工する、もしくは、金型の一部をスライドさせる、等のコスト増加を伴う加工が必要になる、という問題がある。つまり、スピーカーフレーム５１を形成するダイカスト金型が上下に相互に移動する上型と下型である場合には、横方向に形成される貫通孔５６は、ダイカスト鋳造の工程では一度に形成することができない。
【発明の開示】
【発明が解決しようとする課題】
【０００６】
本発明は、上記の従来技術が有する問題を解決するためになされたものであり、その目的は、端子板を取り付ける端子板取付部を備えるスピーカーフレーム、および、これを用いたスピーカーに関し、ダイカストフレームで端子板を配置する寸法が限られていて、端子板を垂直に取り付ける場合であっても、コスト増加を伴う加工を必要としない、スピーカーフレームおよびこれを用いたスピーカーを提供することにある。
【課題を解決するための手段】
【０００７】
本発明のスピーカーフレームは、エッジを取り付ける平面を有するエッジ取付部と、エッジ取付部の平面と略平行に形成されるダンパを取り付ける平面を有するダンパ取付部と、エッジ取付部およびダンパ取付部が有する平面に対して非平行な方向にダンパ取付部から延設される突起片として形成される端子板取付部と、を備えるスピーカーフレームであって、端子板取付部が、端子板を取り付ける端子板取付面と、端子板取付部の略中央に縦向きに配置されて端子板取付面の形状を略Ｕ字形状とする縦溝と、を備え、縦溝が、端子板取付面に対して略直角方向に突起片を貫通する貫通孔を規定する。
【０００８】
好ましくは、本発明のスピーカーフレームは、端子板取付部が、端子板取付面と、縦溝であって端子板取付面の側に形成された第１縦溝と、縦溝であって端子板取付面の反対面の側に形成された第２縦溝と、を備え、第１縦溝および第２縦溝が、端子板取付面に対して略直角方向に突起片を貫通する貫通孔を規定する。
【０００９】
さらに好ましくは、本発明のスピーカーフレームは、端子板取付部が、端子板取付面から突出して端子板の回転を規制する端子板回止部を備える。
【００１０】
さらに好ましくは、本発明のスピーカーフレームは、端子板取付部に形成された端子板回止部が、端子板の一端と当接する第１端子板回止部と、端子板の他端と当接する第２端子板回止部と、を備え、第１端子板回止部と第２端子板回止部とが、エッジ取付部およびダンパ取付部が有する平面と平行な面に対して投影された場合に重複しないように規定および配置されている。
【００１１】
また、好ましくは、本発明のスピーカーフレームは、端子板取付部に形成された端子板回止部が、端子板の一端と当接する第１端子板回止部と、端子板の他端と当接する第２端子板回止部および第３端子板回止部と、を備え、第２端子板回止部と第３端子板回止部とが、縦溝を挟んで配置されている。
【００１２】
さらに好ましくは、本発明のスピーカーフレームは、ダイカスト金型により鋳造されて形成される。
【００１３】
さらに好ましくは、本発明のスピーカーフレームは、ダイカスト金型が、固定型と、固定型に対してエッジ取付部およびダンパ取付部が有する平面に略直角な方向へ移動する移動型とを備え、固定型もしくは移動型が備える突起部が、端子板取付部の縦溝を規定する。
【００１４】
また、本発明のスピーカーは、  上記のいずれかに記載のスピーカーフレームを用いる。
【００１５】
以下、本発明の作用について説明する。
【００１６】
本発明のスピーカーフレームは、エッジを取り付ける平面を有するエッジ取付部と、エッジ取付部の平面と略平行に形成されるダンパを取り付ける平面を有するダンパ取付部と、エッジ取付部およびダンパ取付部が有する平面に対して非平行な方向にダンパ取付部から延設される突起片として形成される端子板取付部と、を備える。つまり、端子板取付部が、ダンパ取付部から非平行な方向に、より具体的には、ダンパ取付部から略直角方向に延設されているので、エッジ取付部とダンパ取付部との平面上での距離が十分に確保できないような場合であっても、端子板を限られた空間に配置することができる。したがって、このスピーカーフレームを用いるスピーカーは、ダンパの外径の大きなスピーカーとすることができる。
【００１７】
スピーカーフレームの端子板取付部は、端子板を取り付ける端子板取付面と、端子板取付部の略中央に縦向きに配置されて端子板取付面の形状を略Ｕ字形状とする縦溝と、を備える。ここで、縦溝は、端子板取付面に対して略直角方向に突起片を貫通する貫通孔を規定する。つまり、縦溝は、端子板取付部の長さＬ０よりも長さＬが短いので、端子板取付部を縦断してしまうことなく端子板取付面の形状を略Ｕ字形状とし、端子板を取り付けるのに必要な端子板取付面および貫通孔を形成することができる。したがって、この端子板取付面および貫通孔を利用して端子板を端子板取付面にカシメ、ネジ止め等の方法により取り付けることができ、その結果、スピーカーフレームに端子板を、いわば略直角に取り付けることができる。
【００１８】
本発明のスピーカーフレームは、ダイカスト金型により鋳造されて形成されるので、縦溝は、ダイカスト金型の固定型もしくは移動型が備える突起部により形成される。つまり、端子板取付部に設けられるべき貫通孔が、ダイカスト金型の移動方向と異なっていても、金型の突起部により形成される縦溝によって規定されるので、２次加工により貫通孔を加工する、もしくは、金型の一部をスライドさせる、等のコスト増加を伴う加工を不要にすることができる。
【００１９】
なお、好ましくは、スピーカーフレームの端子板取付部が、端子板取付面と、縦溝であって端子板取付面の側に形成された第１縦溝と、縦溝であって端子板取付面の反対面の側に形成された第２縦溝と、を備え、第１縦溝および第２縦溝が、端子板取付面に対して略直角方向に突起片を貫通する貫通孔を規定してもよい。したがって、例えば、端子板取付面の側に形成された第１縦溝がダンパ取付部側の金型に設けた突起により形成され、反対面の側に形成された第２縦溝がエッジ取付部側の金型に設けた突起により形成される場合、第１縦溝および第２縦溝により規定される貫通孔の位置ならびに大きさを、端子板を固定するカシメもしくはネジの径に対応して規定することができ、端子板を固定する位置がずれることがない。その結果、安定して端子板を固定することができる。
【００２０】
また、本発明のスピーカーフレームは、端子板取付部が、端子板取付面から突出して端子板の回転を規制する端子板回止部を備える。端子板回止部により、端子板の回転のみならず、端子板の取り付け位置の上下動も規制される。端子板回止部は、端子板取付部を形成する際に、突起もしくは面の折り曲がり部が形成されるようにダイカスト金型を加工すればよい。したがって貫通孔を介して端子板を固定する場合に、規定する方向に安定して端子板を取り付けることができる。
【００２１】
端子板取付部に形成された端子板回止部は、端子板の一端と当接する第１端子板回止部と、端子板の他端と当接する第２端子板回止部と、を備え、第１端子板回止部と第２端子板回止部とが、エッジ取付部およびダンパ取付部が有する平面と平行な面に対して投影された場合に重複しないように規定および配置されていればよい。本発明のスピーカーフレームは、ダイカスト金型で２次加工の必要が無く形成される。また、好ましくは、本発明のスピーカーフレームは、端子板取付部に形成された端子板回止部が、端子板の一端と当接する第１端子板回止部と、端子板の他端と当接する第２端子板回止部および第３端子板回止部と、を備え、第２端子板回止部と第３端子板回止部とが、縦溝を挟んで配置されていてもよい。
【発明の効果】
【００２２】
本発明のスピーカーフレームは、ダイカストフレームで端子板を配置する寸法が限られていて、端子板を垂直に取り付ける場合であっても、コスト増加を伴う加工を必要としない、スピーカーフレームおよびこれを用いたスピーカーを実現できる。
【発明を実施するための最良の形態】
【００２３】
本発明のスピーカーフレームは、ダイカストフレームで端子板を配置する空間が限られていて、端子板を垂直に取り付ける場合であっても、コスト増加を伴う加工を必要としないようにするという目的を、エッジを取り付ける平面を有するエッジ取付部と、エッジ取付部の平面と略平行に形成されるダンパを取り付ける平面を有するダンパ取付部と、エッジ取付部およびダンパ取付部が有する平面に対して非平行な方向にダンパ取付部から延設される突起片として形成される端子板取付部と、を備えるスピーカーフレームであって、端子板取付部が、端子板を取り付ける端子板取付面と、端子板取付部の略中央に縦向きに配置されて端子板取付面の形状を略Ｕ字形状とする縦溝と、を備え、縦溝が、端子板取付面に対して略直角方向に突起片を貫通する貫通孔を規定するように構成することにより、実現した。
【００２４】
以下、本発明の好ましい実施形態によるスピーカーフレームおよびこれを用いたスピーカーについて説明するが、本発明はこれらの実施形態には限定されない。
【実施例１】
【００２５】
図１は、本発明の好ましい実施形態によるスピーカーフレーム１について説明する図であり、図１（ａ）はスピーカーフレーム１全体を横から見た断面図、図１（ｂ）は端子板取付部１０の拡大斜視図である。スピーカーフレーム１は、アルミニウムを含む合金を（図示しない）ダイカスト金型により鋳造して形成される。ダイカスト金型が固定型および移動する移動型から構成される場合には、スピーカーフレーム１は、いわゆる「アンダーカット」と呼ばれる部位が存在しない形状として、形成される。ここでは、図面の下側に位置する固定型である下型に対し、上側に位置する移動型である下型が上下方向に移動して、スピーカーフレーム１を形成する。
【００２６】
スピーカーフレーム１は、エッジを取り付ける平面を有するエッジ取付部２と、エッジ取付部２の平面と略平行に形成されるダンパを取り付ける平面を有するダンパ取付部３と、ダンパ取付部３から延接されて磁気回路（図示しない）と接合する磁気回路接合部４と、エッジ取付部２とダンパ取付部３とを連結するフレーム脚部５と、端子板取付部１０を備える。端子板取付部１０には、端子板７がネジ８により取り付けられる。なお、端子板７は、樹脂等の絶縁物により形成されており、端子７ａおよび７ｂが設けられ、これらは相互に絶縁されている。
【００２７】
スピーカーフレーム１の端子板取付部１０は、ダンパ取付部３から略直角方向に延設される突起片として形成される。つまり、端子板取付部１０は、エッジ取付部２およびダンパ取付部３が有する平面に対して非平行な方向にダンパ取付部３から延設される突起片として形成されればよい。ダンパ取付部３が有する平面に対して非平行な方向に延設することにより、端子板取付部１０および端子板７が投影する面積が小さくなる。したがって、エッジ取付部２とダンパ取付部３との平面上での距離Ａが十分に確保できないような場合であっても、端子板７を略垂直に立てて配置することができるので、端子板７を限られた空間に取り付けることができる。
【００２８】
端子板取付部１０は、端子板７を取り付ける端子板取付面１１と、端子板取付部１０の略中央に縦向きに配置されて端子板取付面１１の形状を略Ｕ字形状とする縦溝１２と、を備える。ここで、縦溝１２は、端子板取付面１１に対して略直角方向に突起片を貫通する貫通孔１３を規定する。端子板取付部１０の縦溝１２は、ダイカスト金型の固定型もしくは移動型のいずれかに設けられる突起部から形成される。ここでは、ダンパ取付部３の側に位置する金型（つまり、下型）に突起部は設けられている。つまり、縦溝１２は、スピーカーフレーム１をダイカスト金型により形成する工程で規定され、２次加工等を必要としない。また、縦溝１２は、端子板取付部１０の長さＬ０よりもその長さＬが短くされる。縦溝１２は、端子板取付部１０を縦断してしまうことなく端子板取付面１１の形状を略Ｕ字形状とし、端子板７を取り付けるのに必要な端子板取付面１１および貫通孔１３を形成する。したがって、端子板７は、貫通孔１３を利用して、端子板取付面１１にネジ８により取り付けられる。ネジ８は、縦溝１２および貫通孔１３に螺合する。
【００２９】
端子板取付部１０には、その端子板取付面１１の端部に、端子板取付面１１から突出して端子板７の回転を規制する端子板回止部１４および平面１５が備わる。端子板回止部とは、端子板取付部１０を形成する際に、突起が形成され、かつ、アンダーカットが構成されないようにダイカスト金型を加工することにより、形成されるものであればよく、端子板取付面１１から突出して設けられて、端子板７の回転を規制する部分であればよい。例えば、端子板回止部１４の反対側には、端子板取付面１１と折り曲げられたように連続する平面１５が形成される。つまり、端子板取付面１１に対して隆起した平面１５が形成される結果、端子板７の回転は規制されて、端子板回止部１４とあわせて安定した取付が可能となる。
【００３０】
端子板７の一端（上側辺７ｃ）と当接する端子板回止部１４と、端子板７の他端（下側辺７ｄ）と当接する平面１５とは、図１の形状に限定されない。端子板回止部を形成する突起の高さは僅かでよく、端子板の回転を防止するのに十分な高さであればよい。端子板回止部１４と平面１５とは、エッジ取付部２およびダンパ取付部３が有する平面と平行な面に対して投影された場合に重複しないような関係であればよい。平面に投影された場合に重複しないような関係とは、すなわち、ダイカスト金型でアンダーカットにならない関係であり、端子板取付面１１の端部に形成された端子板回止部１４および平面１５が、固定型および移動型を備えるダイカスト金型により形成可能な形状であればよい。もちろん、ダイカスト金型で形成可能であれば、スピーカーフレーム１は、本実施例のアルミニウムを含む合金に限定されない。
【００３１】
なお、図１の端子板取付部１０において、端子板取付面１１は、エッジ取付部２およびダンパ取付部３が有する平面に対して非平行な面であり、垂直面ではない傾き角度を備えている。もちろん、ダイカスト金型により形成可能な形状であれば、端子板取付面１１は垂直面であってもよい。また、縦溝１２は、端子板取付面１１の形状を略Ｕ字形状とし、かつ、端子板取付面１１に対して略直角方向に突起片を貫通する貫通孔１３を形成するものであればよく、端子板取付部１０の略中央に縦向きに配置される位置、幅及び長さについては、自由に設計可能である。さらに、図１の端子板取付部１０においては、端子板取付面１１のいわば両端部に端子板回止部１４および平面１５を配置したが、その一方のみで端子板７の回転を規制することができれば、端子板取付面１１の一端側にのみ端子板回止部を設けてもよい。また、端子板７を端子板取付部１０にネジ８の螺合によって取り付けたが、ナットを併用してもよい。
【００３２】
このスピーカーフレーム１を用いるスピーカー（図示しない）は、エッジ取付部２とダンパ取付部３との平面上での距離Ａが十分に確保できないような場合であっても、端子板７を限られた空間に配置することができる。したがって、このスピーカーフレーム１を用いるスピーカーは、外径が大きいダンパを採用することが可能となり、振動系の性能が高いスピーカーを実現することができる。
【実施例２】
【００３３】
図２は、本発明の他の好ましい実施形態によるスピーカーフレームの端子板取付部２０について説明する図である。このスピーカーフレームは、端子板取付部２０を除いて、図１のスピーカーフレーム１と共通である。したがって、図１のスピーカーフレーム１と共通な部分についての説明は、省略する。
【００３４】
端子板取付部２０は、スピーカーフレームのダンパ取付部３から略直角方向に延設される突起片として形成され、端子板７を取り付ける端子板取付面２１と、端子板取付部２０の略中央に縦向きに配置されて端子板取付面２１の形状を略Ｕ字形状とする縦溝２２と、を備える。縦溝２２は、端子板取付面２１に対して略直角方向に突起片を貫通する貫通孔２３を規定する。端子板取付部１０の縦溝１２は、ダイカスト金型の固定型もしくは移動型のいずれかに設けられる突起部から形成される。ここで、縦溝２２は、図１の場合の縦溝１２とは逆方向、つまり、エッジ取付部２の側から形成されており、移動型である上型に突起部が備わっている。
【００３５】
端子板取付部２０には、端子板回止部が形成される。ここで、端子板回止部は、複数の突起から構成され、例えば、端子板７の一端（下側辺７ｄ）と当接する第１端子板回止部２４と、端子板７の他端（上側辺７ｃ）と当接する第２端子板回止部２５および第３端子板回止部２６と、が、端子板取付部２０に設けられる。第２端子板回止部２５と第３端子板回止部２６とは、縦溝２２を挟んで配置されている。その結果、端子板７は、いわば貫通孔２３を中心として配置された第１端子板回止部２４と第２端子板回止部２５および第３端子板回止部２６の３点で回転を止められるので、安定して端子板取付部２０に取り付けられる。
【００３６】
なお、第１端子板回止部２４と、第２端子板回止部２５と第３端子板回止部２６とは、エッジ取付部２およびダンパ取付部３が有する平面と平行な面に対して投影された場合に重複しないように規定および配置されている。したがって、アンダーカットが構成されないようにダイカスト金型を加工することができ、端子板回止部を端子板取付部に備えるスピーカーフレームが形成される。
【実施例３】
【００３７】
図３は、本発明の他の好ましい実施形態によるスピーカーフレームの端子板取付部３０について説明する図である。図３（ａ）は端子板取付部３０の拡大斜視図、図３（ｂ）は断面図、図３（ｃ）は端子板取付面３１の側から見た正面図である。このスピーカーフレームは、端子板取付部３０を除いて、図１のスピーカーフレーム１と共通である。したがって、図１のスピーカーフレーム１と共通な部分についての説明は、省略する。
【００３８】
端子板取付部３０は、スピーカーフレームのダンパ取付部３から略直角方向に延設される突起片として形成され、端子板取付面３１と、縦溝であって端子板取付面３１の側に形成された第１縦溝３２と、縦溝であって端子板取付面３１の反対面の側に形成された第２縦溝３３と、を備える。したがって、第１縦溝３２は、端子板７を取り付ける端子板取付面３１の形状を略Ｕ字形状とする。
【００３９】
端子板取付部３０の第１縦溝３２および第２縦溝３３は、端子板取付面３１に対して略直角方向に突起片を貫通する貫通孔３４を規定する。第１縦溝３２はダンパ取付部３の方向から幅Ｘｍｍで垂直に形成され、一方、第２縦溝３３はエッジ取付部２の方向から幅Ｘｍｍより狭い幅Ｙｍｍで垂直に形成されている。つまり、端子板取付面３１の側に形成された第１縦溝３２がダンパ取付部３の側の金型（下型）に設けた突起により形成され、反対面の側に形成された第２縦溝３３がエッジ取付部２の側の金型（上型）に設けた突起により形成される。それぞれ第１縦溝３２および第２縦溝３３の溝の長さ、溝の幅を調整することにより、第１縦溝３２および第２縦溝３３が重複する部分に規定される貫通孔３４の位置ならびに大きさを調整できる。この場合、第１縦溝３２および第２縦溝３３が重複した部分の高さをＺｍｍとすると、幅Ｙｍｍ、高さＺｍｍの貫通孔３４が規定される。したがって、端子板７を固定するネジ８の径に対応して貫通孔３４が規定されるので、端子板７の固定が安定する。
【００４０】
端子板取付部３０には、複数の突起から構成される端子板回止部が形成される。例えば、端子板回止部は、端子板取付面３１の面上から突出した複数の突起から形成される。端子板７の一端（上側辺７ｃ）と当接する第１端子板回止部３５と、端子板７の他端（下側辺７ｄ）と当接する第２端子板回止部３６および第３端子板回止部３７と、が、端子板取付部３０に設けられればよい。また、第２端子板回止部３６と第３端子板回止部３７とは、縦溝３２を挟んで配置されている。その結果、端子板７は、いわば貫通孔３４を中心として３点の端子板回止部の突起により回転を止められるので、安定して端子板取付部３０に取り付けられる。
【産業上の利用可能性】
【００４１】
本発明のスピーカーフレームは、上記実施例に限られず、ダンパの口径が大きな通常のスピーカーのみならず、スピーカーフレームが小さくて端子板を設けることが困難なマイクロスピーカーにも適する。
【図面の簡単な説明】
【００４２】
【図１】本発明の好ましい実施形態によるスピーカーフレームについて説明する図である。（実施例１）
【図２】本発明の他の好ましい実施形態によるスピーカーフレームの端子板取付部について説明する図である。（実施例２）
【図３】本発明の他の好ましい実施形態によるスピーカーフレームの端子板取付部について説明する図である。（実施例３）
【図４】従来のスピーカーフレームの端子板取付部を説明する図である。
【図５】従来のスピーカーフレームの端子板取付部を説明する図である。
【符号の説明】
【００４３】
１      スピーカーフレーム
２      エッジ取付部
３      ダンパ取付部
４      磁気回路接合部
５      フレーム脚部
７      端子板
８      ネジ
１０    端子板取付部
１１    端子板取付面
１２    縦溝
１３    貫通孔
１４    端子板回止部
１５    平面
【図１】
2007013736.tif 000003
【図２】
2007013736.tif 000004
【図３】
2007013736.tif 000005
【図４】
2007013736.tif 000006
【図５】
2007013736.tif 000007